(57)【要約】      （修正有）【課題】検知部の異常の可能性があるときに、検知部による検出対象のガスの漏洩の検知を停止する。【解決手段】警報器は、それぞれ別体に構成された、外部環境を検知する検知部と１０、検知された外部環境の変化に基づいて警報を報知する報知手段を備えた警報部２０とが有線３０で接続され、検知部１０は、検知部１０を制御する第一制御部としての検知部制御部１００を備え、検知部制御部１００は、有線３０を介した警報部２０からの所定の制御電圧の供給／停止に応じて、検知部１０の制御の開始／停止をするように構成されるとともに、警報部２０は、有線３０を介した検知部制御部１００への制御電圧の供給／停止の制御をする第二制御部としての警報部制御部２００を備え、警報部制御部２００は、検知部１０の異常の発生を検出すると、検知部制御部１００への制御電圧の供給を停止するように構成されている。【選択図】図２
2015069376.tif 000002
【特許請求の範囲】
【請求項１】
それぞれ別体に構成された、外部環境を検知する検知部と、前記検知された外部環境の変化に基づいて警報を報知する警報報知部を備えた警報部とが有線で接続された警報器であって、
前記検知部は、前記検知部を制御する第一制御部を備え、
前記第一制御部は、前記有線を介した前記警報部からの所定の制御電圧の供給／停止に応じて、前記検知部の制御の開始／停止をするように構成されるとともに、
前記警報部は、前記有線を介した前記第一制御部への前記制御電圧の供給／停止の制御をする第二制御部を備え、
前記第二制御部は、前記検知部の異常の発生の虞を検出すると、前記第一制御部への前記制御電圧の供給を停止するように構成されている警報器。
【請求項２】
前記検知部及び前記警報部は、前記検知部側の機器情報を前記有線を介して前記警報部へ通信する検知部通信と、前記警報部側の機器情報を前記有線を介して前記検知部へ通信する警報部通信とを交互に実行するように構成され、
前記第二制御部は、前記警報部通信を送信後、前記検知部通信を所定時間受信しない場合に前記検知部に異常が発生したと判断し、前記第一制御部への前記制御電圧の供給を停止する請求項１に記載の警報器。
【請求項３】
前記第二制御部は、前記第一制御部への前記制御電圧の供給を停止した後、所定時間経過すると再び前記制御電圧の供給を開始する請求項１又は２に記載の警報器。
【発明の詳細な説明】
【技術分野】
【０００１】
本発明は、それぞれ別体に構成された、外部環境を検知する検知部と、前記検知された外部環境の変化に基づいて警報を報知する警報報知部を備えた警報部とが有線で接続された警報器に関するものである。
【背景技術】
【０００２】
従来、外部環境の異常の一例である検知対象のガスの漏洩を検知する警報器として、それぞれ別体に構成された、ガスセンサを備えた検知部と、ガスセンサによって検知対象のガスの漏洩を検知すると、鳴動する警報ブザー、音声メッセージを通知するスピーカ、赤色に点灯する警報ランプ等の警報報知部を備えた警報部とが有線で接続された分離型の警報器が知られている。このような分離型の警報器の検知部は、ガスセンサの検知対象がＬＰガスであれば床面近傍に設置し、都市ガスであれば天井近傍に設置するなど、その検知対象に応じて適切な箇所に設置される。一方、警報部は警報報知部による警報ブザーの鳴動、音声メッセージの通知、警報ランプの点灯等の警報の報知を確認しやすい所定の位置に設置される。
【０００３】
警報部は、内部に備えた変換回路によって外部電源から供給された電源電圧を降圧や昇圧することによって得られた所定の制御電圧を有線を介して検知部へ供給し、検知部のガスセンサを作動させるとともに、ガスセンサの電圧レベルを監視し、該電圧レベルが所定の警報閾値以上を継続したことを検知すると、ガスセンサが検知対象のガスの漏洩を検知したと判断するように構成されている。
【０００４】
尚、本発明における従来技術となる上述した警報器は、一般的な技術であるため、特許文献等の先行技術文献は示さない。
【発明の概要】
【発明が解決しようとする課題】
【０００５】
ところで、検知部は、その検知対象のガスの漏洩を監視可能な箇所、つまり、ガスの漏洩が発生し得る箇所から遠くに設置できる警報部と比較して酷な環境に設置される。検知部が故障すると、実際にはガスの漏洩がないにもかかわらず、ガスの漏洩の検知時のように警報ブザーが鳴動する虞や、実際にはガスが漏洩しているにもかかわらず、ガスの検知が正常に行われない虞がある。このような虞を回避することが、検知部の信頼性の向上、つまり警報器の信頼性の向上につながる。
【０００６】
本発明は上記実情に鑑みてなされたものであって、検知部の異常の可能性があるときに、検知部による検出対象のガスの漏洩の検知を停止することができる信頼性の高い警報器を提供することを目的としている。
【課題を解決するための手段】
【０００７】
本発明による警報器の第一の特徴構成は、それぞれ別体に構成された、外部環境を検知する検知部と、前記検知された外部環境の変化に基づいて警報を報知する警報報知部を備えた警報部とが有線で接続された警報器であって、前記検知部は、前記検知部を制御する第一制御部を備え、前記第一制御部は、前記有線を介した前記警報部からの所定の制御電圧の供給／停止に応じて、前記検知部の制御の開始／停止をするように構成されるとともに、前記警報部は、前記有線を介した前記第一制御部への前記制御電圧の供給／停止の制御をする第二制御部を備え、前記第二制御部は、前記検知部の異常の発生の虞を検出すると、前記第一制御部への前記制御電圧の供給を停止するように構成されている点にある。
【０００８】
第二制御部が検知部の異常の発生の虞を検知したときには、警報部から検知部への制御電圧の供給を停止して、第一制御部による検知部の制御を停止することができる。これによって第一制御部の暴走のような検知部による正常でないガス検知を停止することができる。
【０００９】
同第二の特徴構成は、上述の第一の特徴構成に加えて、前記検知部及び前記警報部は、前記検知部側の機器情報を前記有線を介して前記警報部へ通信する検知部通信と、前記警報部側の機器情報を前記有線を介して前記検知部へ通信する警報部通信とを交互に実行するように構成され、前記第二制御部は、前記警報部通信を送信後、前記検知部通信を所定時間受信しない場合に前記検知部に異常が発生したと判断し、前記第一制御部への前記制御電圧の供給を停止する点にある。
【００１０】
警報部が、検知部通信を受信しないときは、検知部や第一制御部に暴走等の何らかの異常が発生していることが考えられる。警報部が警報部通信を送信後、検知部通信を所定時間受信しない場合は、検知部に異常が発生したと判断し、第一制御部への制御電圧の供給を停止して、第一制御部による検知部の制御を停止することができる。第一制御部に検知部を監視する構成を備えることなく、第二制御部は検知部の異常の可能性を判断することができる。警報部と比較的して故障の発生しやすい検知部の構成を簡単にでき、安価に製造することができる。
【００１１】
第三の特徴構成は、上述の第一又は第二特徴構成に加えて、前記第二制御部は、前記第一制御部への前記制御電圧の供給を停止した後、所定時間経過すると再び前記制御電圧の供給を開始する点にある。
【００１２】
検知部の異常が、単に第一制御部の暴走であるようなときは、第一制御部の再起動によって当該異常が解決できる場合が多い。第二制御部は、検知部の異常の発生の虞があるときに、検知対象のガスの漏洩の監視を停止しても、その後自動的に給電を再開することで、改めて検知部による検知対象のガスの漏洩の監視を開始することができる。
【発明の効果】
【００１３】
以上説明した通り、本発明によれば、検知部の異常の可能性があるときに、検知部による検出対象のガスの漏洩の検知を停止することができる信頼性の高い警報器を提供することができるようになった。
【図面の簡単な説明】
【００１４】
【図１】本発明による警報器の説明図
【図２】警報器の各機能ブロックの説明図
【図３】検知部と警報部の間の通信シーケンスの説明図
【図４】検知部と警報部の間の通信シーケンスの説明図
【発明を実施するための形態】
【００１５】
以下、本発明の実施形態を図面に基づいて説明する。
図１に示すように、本発明の警報器１は、それぞれ別体に構成された、内蔵したガスセンサ１１によって外部環境を検知する検知部１０と、検知部１０が検知した外部環境の異常を報知する警報報知部２１を備えた警報部２０とを備えている。検知部１０と警報部２０は、有線３０としての通信線３１と給電線３３によって電気的に接続され、検知部１０のガスセンサ１１は、警報部２０から給電線３３を介して供給される制御電圧によって作動し、検知部１０はガスセンサ１１が検知対象のガスを検知すると、その検知信号を通信線３１を介して警報部２０に送信し、警報部２０は警報報知部２１としての警報ブザーの鳴動、スピーカによる音声メッセージの通知、警報ランプの点灯等によって、検知対象のガスの漏洩を周囲に報知するように構成されている。なお、図１では、理解の容易のために便宜的に検知部１０及び警報部２０を横に並べて記載しているが、検知部１０はガスセンサの検知対象がＬＰガスであれば床面近傍に設置し、都市ガスであれば天井近傍に設置するなど、その検知対象のガスに応じて適切な箇所に設置する。一方、警報部２０は警報報知部２１による警報の報知を確認しやすい所定の位置に設置する。
【００１６】
まず検知部１０について説明する。検知部１０は、屋内や屋外の壁面に取り付け可能なケーシングに外部から視認可能な位置に第一報知部１２としての動作確認ランプを備え、前記ケーシングの内部にガスセンサ１１と、該検知部１０の動作の制御をする検知部制御部１００と、警報部２０と有線３０としての給電線３３によって接続され警報部２０から供給された制御電圧を受電する検知部給電部１５を備えている。
【００１７】
ガスセンサ１１は、ＬＰガスや都市ガスの漏洩を検知可能な半導体式、接触燃焼式、電気化学式、固体電解質式、赤外線式等のセンサが用いられる。本実施形態では、警報器１が厨房に設置され、検知対象がＬＰガスである場合を例に説明する。従って、検知部１０は、床面近傍の所定位置の壁面に設置される。
【００１８】
図２に示すように、検知部制御部１００は、マイクロコンピュータやマイクロコンピュータで実行されるプログラム等を記憶したメモリ等によって、ガスセンサ１１からの入力信号を処理する演算処理部１１１、第一報知部１２による報知を制御する第一報知制御部１１２、警報部２０と双方向に通信するために有線３０としての通信線３１によって接続された第一通信部１３１、第一通信部１３１を制御する第一通信制御部１３２、検知部給電部１５に供給された前記所定電圧に基づいて所定の制御をする検知部給電制御部１３３、検知部１０側の機器情報と後述する警報部通信によって受信した警報部２０側の機器情報とを記憶する第一記憶部１０１等の各機能ブロックを備えて構成されている。本実施形態では、検知部制御部１００が、検知部１０に備えられた、検知部１０を制御する第一制御部を構成する。
【００１９】
また、本実施形態では、有線３０は、検知部１０と警報部２０を電気的に接続し通信するための通信線３１と、警報部２０から所定の制御電圧を検知部１０へ供給するための給電線３３とで構成されている。なお、警報部２０から検知部１０へ供給される所定の制御電圧は、通信線３１を介して双方向に通信される信号に重畳される構成であってもよく、この場合検知部制御部１００に通信線３１に重畳されて供給される制御電圧を取り出すフィルタ回路を備えればよい。
【００２０】
検知部給電制御部１３３は、給電線３３を介して検知部給電部１５に供給される制御電圧によって検知部１０の制御を開始、実行し、前記制御電圧の供給が停止されると検知部１０の制御を停止するように構成されている。
【００２１】
演算処理部１１１は、ガスセンサ１１の電圧レベルを監視し、該電圧レベルが所定の警報閾値以上を継続して検知すると、ガスセンサ１１がＬＰガスの漏洩を検知したと判断する。なお、演算処理部１１１は、ガスセンサ１１の電圧レベルから、所定周期ごとにＬＰガス濃度を算出し、算出したＬＰガス濃度が、所定の警報レベル閾値以上、かつ、所定の時間継続して検知した場合にＬＰガスの漏洩と判断するように構成してもよい。
【００２２】
第一報知制御部１１２は、ガスセンサ１１によるＬＰガスの漏洩等の異常検知情報や、検知部１０側の機器情報や、後述する警報部２０から送信される警報部２０側の機器情報や、警報部２０に備えられた操作処理部２２３からの信号に基づいて、第一報知部１２による報知を制御する。
【００２３】
第一報知部１２としての動作確認ランプは、警報器１の正常、ＬＰガスの漏洩等の異常検知、故障等の状態を、所定の態様によって報知するように構成されている。該動作確認ランプは緑色及び赤色のＬＥＤを備えて構成され、例えば、警報器１が正常状態であれば緑色に点灯し、ＬＰガスの漏洩等の異常検知状態であれば赤色に点灯し、故障状態であれば緑色に点滅するように、その状態に応じて点灯、点滅、消灯等の発光パターンや、緑色、赤色等の発光色の組み合わせを変更することで識別を容易にすることができる。
【００２４】
第一通信部１３１は、後述する警報部２０の第二通信部２３１と有線３０である通信線３１によって電気的に接続され、ＵＡＲＴで実現される５００ｂｐｓの調歩同期方式によるシリアル通信によって、検知部１０側の機器情報を第二通信部２３１へと送信するとともに、警報部２０側の機器情報を第二通信部２３１から受信するように構成されている。この、第一通信部１３１から第二通信部２３１への検知部１０側の機器情報の通信を検知部通信という。なお、検知部通信は、調歩同期方式によるシリアル通信で行われる構成に限らず、通信線３１の他にクロック信号を送信するクロック線を備えて、同期式のシリアル通信で行われる構成であってもよい。
【００２５】
検知部１０側の機器情報は、例えば、警報部２０へＬＰガスの漏洩検知を伝えるガス警報フラグ、検知部１０の故障を伝える検知部故障フラグ等を含んで構成される数ビットのデータにスタートビット、パリティビット、ストップビットが付加されたデータと、その他のパラメータ等のデータからなる数バイトのパケットで構成されている。
【００２６】
第一通信制御部１３２は、所定のタイミングで検知部通信を実行するように構成されている。該検知部通信の通信タイミングの詳細は後述する。
【００２７】
第一記憶部１０１は、ガスセンサ１１の出力値及び／又は前記出力値に基づいて演算処理部１１１が算出したＬＰガス濃度値と、検知部１０側の機器情報を構成するＬＰガスの漏洩検知の判断結果を記憶する。さらに、警報部２０へと送信する検知部１０側の機器情報や、後述する警報部通信によって受信した警報部２０側の機器情報も記憶する。ただし、記憶対象の機器情報にパリティチェックエラー、通信エラー、チェックサムエラー等のエラーが認められた場合は、当該機器情報は記憶しないように構成してもよい。
【００２８】
次に警報部２０について説明する。図１に示すように、警報部２０は、屋内や屋外の壁面に取り付け可能なケーシングに外部から視認可能かつ操作可能な位置に第二報知部２２としての動作確認ランプを内蔵した操作部２３としてのスイッチを備え、前記ケーシングの内部に警報報知部２１と、該警報部２０の動作の制御をする警報部制御部２００と、変換回路（図示せず）によって外部電源から供給された電源電圧を降圧や昇圧することによって得られた所定の制御電圧を警報部２０の各部及び有線３０としての給電線３３によって接続された検知部１０へ送電する警報部給電部２５を備えている。
【００２９】
警報報知部２１は、スピーカで構成され、検知部１０が外部環境の異常としてのＬＰガスの漏洩を検知すると、警報音（合成音信号、例えば「ガスが漏れていませんか」などの合成音声、又は、電子音信号、例えば「ピッピッピッピッ」などの電子音）による音、又はそれらの組み合わせによって、ＬＰガスの漏洩を報知するように構成されている。
【００３０】
図２に示すように、警報部制御部２００は、マイクロコンピュータやマイクロコンピュータで実行されるプログラム等を記憶したメモリ等によって、警報報知部２１による警報の報知を制御する警報報知制御部２２１、操作部２３からの入力信号を処理する操作処理部２２３、操作処理部２２３からの信号に基づき第二報知部２２による報知を制御する第二報知制御部２２２、検知部１０と双方向に通信するために有線３０としての通信線３１によって接続された第二通信部２３１、第二通信部２３１を制御する第二通信制御部２３２、警報部給電部２５から検知部給電部１５への前記制御電圧の送電の開始／停止を制御する警報部給電制御部２３３、警報部２０側の機器情報と、検知部通信によって受信した検知部１０側の機器情報とを記憶する第二記憶部２０１等の機能ブロックを備えて構成されている。従って、本実施形態では、警報部制御部２００が、警報部２０に備えられた、有線３０を介した第一制御部である検知部制御部１００への制御電圧の供給／停止の制御をする第二制御部を構成する。
【００３１】
警報報知制御部２２１は、検知部１０から受信した検知部通信に含まれるＬＰガスの漏洩検知を伝えるガス警報フラグに基づいて、警報報知部２１による警報の報知を実行する。また、警報報知制御部２２１は、ガスセンサに検知対象のＬＰガスの漏洩等の外部環境の異常が検出されていない状態で、操作部２３の長押し、短押し等の所定の操作に応じた操作処理部２２３からの信号に基づいて、警報部２０の各機能が正常に作動しているか否かの点検結果を警報報知部２１としてのスピーカから例えば警報音を１フレーズ鳴らすことによって報知することもできる。
【００３２】
第二報知制御部２２２は、検知部１０から送信されるガスセンサ１１によるＬＰガスの漏洩等の異常検知情報を含む検知部１０側の機器情報や、警報部２０側の機器情報や、警報部２０に備えられた操作処理部２２３からの信号に基づいて、第二報知部２２を制御する。
【００３３】
第二報知部２２としての動作確認ランプは、警報器１の正常、ＬＰガスの漏洩等の異常検知、故障等の状態を、所定の態様によって報知するように構成されている。該動作確認ランプは緑色及び赤色のＬＥＤを備えて構成され、例えば、警報器１が正常状態であれば緑色に点灯し、ＬＰガスの漏洩等の異常検知状態であれば赤色に点灯し、故障状態であれば緑色に点滅するように、その状態に応じて点灯、点滅、消灯等の発光パターンや、緑色、赤色等の発光色の組み合わせを変更することで識別を容易にすることができる。
【００３４】
操作部２３としてのスイッチは、外部からの操作に応じて開又は閉動作するように構成されるとともに、外部から視認可能な位置に第二報知部２２としての動作確認ランプを内蔵している。操作処理部２２３は、操作者が操作部２３を長押し、短押し等の所定の操作したことを検出し、それに応じて予め設定された所定のプログラムを実行する。例えば、操作部２３の操作に応じて、警報器１が正常に動作するか否かを確認する点検動作を実行する。
【００３５】
第二報知制御部２２２は、ガスセンサに検知対象のＬＰガスの漏洩等の外部環境の異常が検出されていない状態で、操作部２３の長押し、短押し等の所定の操作に応じた操作処理部２２３からの信号に基づいて、警報部２０の各機能が正常に作動しているか否かの点検結果を第二報知部２２としての動作確認ランプの点灯によって報知することもできる。
【００３６】
操作処理部２２３は、第二報知制御部２２２及び警報報知制御部２２１と接続されるとともに、第二通信部２３１、通信線３１及び第一通信部１３１を介して第一報知制御部１１２と接続され、操作部２３の操作に基づいて、第二報知制御部２２２及び警報報知制御部２２１に第二報知部２２及び警報報知部２１による警報器１の状態の報知を実行させるとともに、第一報知制御部１１２に第一報知部１２による警報器１の状態の報知を実行させるように構成されている。
【００３７】
第二通信部２３１は、第一通信部１３１と有線３０である通信線３１によって電気的に接続され、ＵＡＲＴで実現される５００ｂｐｓの調歩同期方式によるシリアル通信によって、警報部２０側の機器情報を第一通信部１３１へと送信するとともに、検知部１０側の機器情報を第一通信部１３１から受信するように構成されている。この、第二通信部２３１から第一通信部１３１への警報部２０側の機器情報の通信を警報部通信という。なお、警報部通信は、調歩同期方式によるシリアル通信で行われる構成に限らず、通信線３１の他にクロック信号を送信するクロック線を備えて、同期式のシリアル通信で行われる構成であってもよい。
【００３８】
警報部２０側の機器情報は、例えば、警報部２０の故障を伝える警報部故障フラグ、検知部１０の第一報知部１２の確認のための確認機能フラグ等を含んで構成される数ビットのデータにスタートビット、パリティビット、ストップビットが付加されたデータと、その他のパラメータ等のデータからなる数バイトのパケットで構成されている。
【００３９】
第二通信制御部２３２は、所定のタイミングで警報部通信を実行するように構成されている。該警報部通信の通信タイミングの詳細は後述する。
【００４０】
第二記憶部２０１は、検知部１０へと送信する警報部２０側の機器情報や、検知部通信によって受信した検知部１０側の機器情報も記憶する。ただし、記憶対象の機器情報にパリティチェックエラー、通信エラー、チェックサムエラー等のエラーが認められた場合は、該機器情報は記憶しないように構成してもよい。
【００４１】
次に、検知部１０と警報部２０の間で双方向に実行される検知部通信及び警報部通信について説明する。
検知部通信と警報部通信は、第一通信部１３１と第二通信部２３１を接続する１本の通信線３１によって実行されるため、検知部通信と警報部通信が同時に実行された場合は、正常な通信をすることができない。そこで、警報器１を起動すると、まず第一通信制御部１３２によって検知部通信が実行されるように構成されている。
【００４２】
図３に示すように、警報器１に電源投入後、所定の時間例えば１秒経過後に、まず第一通信制御部１３２は検知部１０側の機器情報を第一記憶部１０１に記憶させるとともに検知部通信を実行する。第二通信制御部２３２は検知部通信を受信するとこれを第二記憶部２０１に記憶させ、検知部通信の受信後の所定の時間例えば１００ミリ秒経過後に警報部通信を実行する。第一通信制御部１３２は警報部信号を受信するとこれを第一記憶部１０１に記憶させ、警報部通信の受信後の所定の時間例えば１００ミリ秒経過後に検知部通信を実行する。このように第一通信制御部１３２及び第二通信制御部２３２は、検知部通信と警報部通信とを所定タイミングで交互に実行して、検知対象であるＬＰガスの漏洩を監視しながら、機器の状態も相互に監視する。
【００４３】
検知部１０がＬＰガスの漏洩を検出すると、検知部通信で送信する検知部１０側の機器情報にＬＰガスの漏洩検知を伝えるガス警報フラグを立てる。警報部２０の警報部制御部２００は、受信した検知部通信にガス警報フラグが立っていると、警報報知制御部２２１が警報報知部２１を制御して、「ガスが漏れていませんか」等の合成音によって、ＬＰガスの漏洩を報知する。このとき、検知部１０及び警報部２０のそれぞれの動作確認ランプ（第一報知部１２及び第二報知部２２）を赤色に点灯させることで、ＬＰガスの漏洩の発生を視覚的に報知することもできる。
【００４４】
検知部１０及び警報部２０は、検知部通信と警報部通信の交互の通信を実行するなかで、自己の故障を検知すると自己の動作確認ランプ（第一報知部１２又は第二報知部２２）を緑色に点滅させるとともに、検知部通信や警報部通信によって自己の故障を他方に通信する。該検知部通信を受信した警報部２０や、該警報部通信を受信した検知部１０は、他方の故障の発生に基づき自己の動作確認ランプ（第一報知部１２又は第二報知部２２）を緑色に点滅させる。なお、何れの機器に故障が発生したかによって、動作確認ランプ（第一報知部１２及び第二報知部２２）の発光パターンをその周期や強度を異ならせることで、あるいはスピーカ（警報報知部２１）から異なる合成音、例えば「警報部  故障です」、「検知部  故障です」のように通知することで、何れの機器に故障が発生したかの確認が容易となる。
【００４５】
図４に示すように、検知部１０及び警報部２０は、検知部通信と警報部通信の交互の通信を実行するなかで、警報部２０が検知部１０からの検知部通信を受信しない場合に、第二通信制御部２３２は内部に備えたタイマーを起動しタイムアップするまで検知部通信の受信を待ち続ける。
【００４６】
タイマーで設定された所定の時間例えば１８０秒以内に検知部通信の受信をすると、その後上述のように１００ミリ秒の経過後に警報部通信を実行する。該タイマーで設定された１８０秒以内に検知部通信が正常に受信されない通信エラーが繰り返されると警報部２０は、検知部１０又は警報部２０の異常を判断し、動作確認ランプによって故障状態を報知する。なお、前記１８０秒という時間は検知部１０又は警報部２０の故障によりＬＰガスの漏洩の監視又はその報知ができない時間が短すぎず長すぎない時間の例示である。
【００４７】
検知部１０及び警報部２０は、検知部通信と警報部通信の交互の通信を実行するなかで、検知部１０が警報部２０からの警報部通信を受信しない場合に、第一通信制御部１３１は内部に備えたタイマーを起動しタイムアップするまで警報部通信の受信を待ち続ける。なおこのとき、検知部１０は前回送信した検知部１０側の機器情報に基づく検知部通信を１秒ごとに繰り返し実行してもよい。警報部２０の故障により警報部通信が正常に送信されない、又は検知部１０の故障により警報部通信を正常に受信できない場合の他に、警報部２０の故障により前回送信した検知部通信が警報部２０に正常に受信されないために警報部２０からの警報部通信がされない可能性があるためである。
【００４８】
タイマーで設定された所定の時間例えば１８０秒以内に警報部通信の受信をすると、その後上述のように１００ミリ秒の経過後に検知部通信を実行する。該タイマーで設定された１８０秒以内に警報部通信が正常に受信されない通信エラーが繰り返されると検知部１０は検知部１０又は警報部２０の異常を判断し、動作確認ランプによって故障状態を報知する。なお、前記１８０秒という時間は検知部又は警報部の故障によりＬＰガスの漏洩の監視又はその報知ができない時間が短すぎず長すぎない時間の例示である。
【００４９】
なお、上述のように、警報器１の電源投入をすると、１秒経過後にまず第一通信制御部１３２が初回の検知部通信を実行する。警報部２０は、この電源投入直後に限り、検知部通信の受信の有無による異常の判断の待ち時間が１０秒に設定されている。前記１０秒という時間は、警報器１の電源投入した後に、検知部１０と警報部２０との通信が正常に実行されているか否かの判断をするのに短すぎず長すぎない時間の例示である。なお、検知部１０は、初回の検知部通信後、初回に送信した検知部１０側の機器情報に基づく検知部通信を１秒ごとに繰り返し実行してもよい。
【００５０】
警報部制御部２００は、検知部１０側から受信した検知部通信に検知部１０の故障を伝える検知部故障フラグが立っている場合や、検知部１０との検知部通信及び警報部通信が正常に実行されない場合は、検知部１０に異常が発生、例えば検知部制御部１００の暴走の可能性があるため、検知部１０に異常が発生したと判断して、警報部給電部２３３を制御して有線３０としての給電線３３を介した検知部１０の検知部給電部１３３への所定の制御電圧の供給を一旦停止する。これによって検知部制御部１００の暴走等の検知部１０による正常でないＬＰガスの検知を停止することができる。すなわち、本発明による警報器によれば、検知部の異常の可能性があるときに、検知部による検出対象のガスの漏洩の検知を停止することができる信頼性の高い警報器を提供することができるようになった。
【００５１】
警報部制御部２００は、検知部１０への制御電圧の供給を停止した後、所定時間経過すると再び前記所定の制御電圧の供給を開始することで検知部１０の検知部制御部１００を再起動させることができる。これは、検知部１０の異常が、単に検知部制御部１００の暴走であるようなときは、検知部制御部１００の再起動によって該異常が解決できる場合が多いためであり、警報部制御部２００は、検知部１０の異常の発生を判断して、検知対象のガスの漏洩の監視を停止しても、その後自動的に給電を再開することで、改めて検知部１０による検知対象のガスの漏洩の監視を開始することができる。そして、警報部制御部２００は、このような検知部１０の検知部制御部１００の再起動によっても、再度例えば所定期間内に検知部１０の異常の発生を判断した場合は、検知部１０の故障と判断することができる。
【００５２】
検知部１０又は警報部２０の故障が発見された場合は、該故障した検知部１０又は警報部２０を新たな機器と交換することになる。このとき故障した検知部１０の第一記憶部１０１又は故障した警報部２０の第二記憶部２０１には、検知部１０側の機器情報及び警報部２０側の機器情報の双方が記憶されているため、回収した機器の第一記憶部１０１又は第二記憶部２０１の何れかを確認することで、故障の発見までに記憶した検知部１０及び警報部２０の動作の履歴を確認することができ、その故障の発生時期や発生原因を特定することが可能となる。
【００５３】
上述した実施形態では、警報部２０が備える操作部２３としてのスイッチが、第二報知部２２としての動作確認ランプを内蔵している構成のものを説明したが、操作部２３と第二報知部２２をそれぞれ別体に構成し、第二報知部２２は警報部２０のケーシングの外部から視認が容易な位置に備え、操作部２３は警報部２０のケーシングの外部から操作が容易な位置に備える構成であってもよい。
【００５４】
上述した実施形態では、警報部２０が操作部２３及び操作処理部２２３を備える構成について説明したがこれに限らない。操作部２３及び操作処理部２２３は、検知部１０のみに備える構成や、検知部１０及び警報部２０のそれぞれに備える構成であってもよい。検知部１０側の操作部を操作することで、検知部１０の第一報知部１２及び警報部２０の第二報知部２２から警報器１の状態の報知が可能となる。
【００５５】
上述した実施形態では、警報報知部２１がスピーカである場合について説明したが、警報報知部２１は、スピーカに替えて、又は加えて、警報ブザーや警報ランプであってもよく、スピーカによる警報音に替えて、又は加えて、警報ブザーの鳴動や、警報ランプの点灯、点滅、消灯等によって、ＬＰガスの漏洩を報知する構成であってもよい。
【００５６】
警報報知部２１として警報ランプを採用する場合は、該警報ランプと第二報知部２２としての動作確認ランプとを兼用して、それぞれ点灯、点滅、消灯等の発光パターンや、緑色、赤色等の発光色の組み合わせを変更することにより、警報報知部２１による警報の報知と、第二報知部２２による警報器１の状態の報知とを識別可能に構成してもよい。
【００５７】
上述した実施形態では、第二報知部２２が動作確認ランプである場合について説明したが、第二報知部２２は、動作確認ランプに替えて、又は加えて、動作確認ブザーや動作確認スピーカであってもよく、動作確認ブザーの鳴動や、動作確認スピーカからの合成音声、又は、電子音等による音、又はそれらの組み合わせによって、警報器１の正常、ＬＰガスの漏洩等の異常検知、故障等の状態を報知する構成であってもよい。
【００５８】
上述した実施形態では、第一報知部１２が動作確認ランプである場合について説明したが、第一報知部１２は、動作確認ランプに替えて、又は加えて、動作確認ブザーや動作確認スピーカであってもよく、動作確認ブザーの鳴動や、動作確認スピーカからの合成音声、又は、電子音等による音、又はそれらの組み合わせによって、警報器１の正常、ＬＰガスの漏洩等の異常検知、故障等の状態を報知する構成であってもよい。
【００５９】
上述した実施形態は、何れも本発明の一例であり、該記載により本発明が限定されるものではなく、各部の具体的構成は本発明の作用効果が奏される範囲で適宜変更設計可能であることはいうまでもない。
【符号の説明】
【００６０】
１：警報器
１０：検知部
１１：ガスセンサ
１２：第一報知部
１５：検知部給電部
２０：警報部
２１：警報報知部
２２：第二報知部
２３：操作部
２５：警報部給電部
３０：有線
３１：通信線
３３：給電線
１００：検知部制御部（第一制御部）
１０１：第一記憶部
１１１：演算処理部
１１２：第一報知制御部
１３１：第一通信部
１３２：第一通信制御部
１３３：検知部給電制御部
２００：警報部制御部（第二制御部）
２０１：第二記憶部
２２１：警報報知制御部
２２２：第二報知制御部
２２３：操作処理部
２３１：第二通信部
２３２：第二通信制御部
２３３：警報部給電制御部
【図１】
2015069376.tif 000003
【図２】
2015069376.tif 000004
【図３】
2015069376.tif 000005
【図４】
2015069376.tif 000006